(57)【要約】      （修正有）【課題】導入すべきガスと、排ガス装置内を案内される排ガス流との効率的かつ一様な混合を保証する、ガス、特に空気を内燃機関の排ガス流内に導入するガス／ガス混合器を提供する。【解決手段】ガス、特に空気を内燃機関の排ガス流内に導入するガス／ガス混合器であって、ボディ長手方向軸線（Ｌ）方向で長く延びる混合器ボディ３２を備え、混合器ボディ内にガス導入容積４２が形成されており、混合器ボディの、ガス導入容積の周囲を画定する壁３６内に複数のガス通過開口３８が設けられているガス／ガス混合器において、混合器ボディは、ボディ長手方向軸線（Ｌ）に対して横方向に扁平化された横断面プロファイルを有して形成されていることを特徴とする、ガス、特に空気を内燃機関の排ガス流内に導入するガス／ガス混合器。【選択図】図５
2019183845.tif 000002
【特許請求の範囲】
【請求項１】
ガス、特に空気を内燃機関の排ガス流内に導入するガス／ガス混合器であって、
ボディ長手方向軸線（Ｌ）方向で長く延びる混合器ボディ（３２）を備え、
前記混合器ボディ（３２）内にガス導入容積（４２）が形成されており、前記混合器ボディ（３２）の、前記ガス導入容積（４２）の周囲を画定する壁（３６）内に複数のガス通過開口（３８）が設けられている、
ガス／ガス混合器において、
前記混合器ボディ（３２）は、前記ボディ長手方向軸線（Ｌ）に対して横方向に扁平化された横断面プロファイルを有して形成されている、
ことを特徴とする、ガス／ガス混合器。
【請求項２】
前記横断面プロファイルの最大の幅の領域を表すプロファイル横方向軸線（ＰＱ）は、前記混合器ボディ（３２）のリーディングエッジ（４４）と前記混合器ボディ（３２）のトレーリングエッジ（４６）との間の前記横断面プロファイルの長さを表すプロファイル長手方向軸線（ＰＬ）方向で、前記プロファイル長手方向軸線（ＰＬ）の長さ中間点（Ｍ）に対して前記混合器ボディ（３２）の前記リーディングエッジ（４４）に向かってずらされていることを特徴とする、請求項１記載のガス／ガス混合器。
【請求項３】
前記プロファイル横方向軸線（ＰＱ）と前記プロファイル長手方向軸線（ＰＬ）の長さ中間点（Ｍ）との間の間隔の、前記プロファイル長手方向軸線（ＰＬ）の長さに対する比が、０．０２から０．０５の範囲にあることを特徴とする、請求項２記載のガス／ガス混合器。
【請求項４】
前記混合器ボディ（３２）のリーディングエッジ（４４）と前記混合器ボディ（３２）のトレーリングエッジ（４６）との間の前記横断面プロファイルの長さに対する、前記横断面プロファイルの最大の幅の比が、０．２から０．４の範囲にあることを特徴とする、請求項１から３までのいずれか１項記載のガス／ガス混合器。
【請求項５】
ガス通過開口（３８）の、実質的に前記ボディ長手方向軸線（Ｌ）方向で延在する複数の列（４８）が設けられていることを特徴とする、請求項１から４までのいずれか１項記載のガス／ガス混合器。
【請求項６】
請求項１から５までのいずれか１項または請求項１の上位概念部に記載のガス／ガス混合器であって、前記混合器ボディ（３２）の前記壁（３６）には、前記混合器ボディ（３２）のリーディングエッジ（４４）と、前記混合器ボディ（３２）の前記横断面プロファイルの最大の幅の領域との間の領域に、実質的にガス通過開口が設けられていないことを特徴とするガス／ガス混合器。
【請求項７】
前記ガス導入容積（４２）は、前記ボディ長手方向軸線（Ｌ）方向で端壁（３９）により閉鎖されていることを特徴とする、請求項１から６までのいずれか１項記載のガス／ガス混合器。
【請求項８】
前記端壁（３９）には、ガス通過開口が設けられていないことを特徴とする、請求項７記載のガス／ガス混合器。
【請求項９】
前記混合器ボディ（３２）は、リーディングエッジ（４４）からトレーリングエッジ（４６）にかけて延在する長手方向中央平面（Ｅ）に関して略対称に形成されていることを特徴とする、請求項１から８までのいずれか１項記載のガス／ガス混合器。
【請求項１０】
前記混合器ボディ（３２）は、リーディングエッジ（４４）からトレーリングエッジ（４６）にかけて延在する長手方向中央平面（Ｅ）に関して非対称に形成されていることを特徴とする、請求項１から８までのいずれか１項記載のガス／ガス混合器。
【請求項１１】
前記長手方向中央平面（Ｅ）に関して前記混合器ボディ（３２）の前記壁（３６）の第１の側面（５０）に設けられた前記ガス通過開口（３８）の数は、前記長手方向中央平面（Ｅ）に関して前記混合器ボディ（３２）の前記壁（３６）の第２の側面（５２）に設けられた前記ガス通過開口（３８）の数とは異なることを特徴とする、請求項１０記載のガス／ガス混合器。
【請求項１２】
前記長手方向中央平面（Ｅ）に関して前記混合器ボディ（３２）の前記壁（３６）の第１の側面（５０）における前記混合器ボディ（３２）の前記壁（３６）のプロファイル線は、前記長手方向中央平面（Ｅ）に関して前記混合器ボディ（３２）の前記壁（３６）の第２の側面（５２）における前記混合器ボディ（３２）の前記壁（３６）のプロファイル線とは異なることを特徴とする、請求項１０または１１記載のガス／ガス混合器。
【請求項１３】
請求項１から１２までのいずれか１項記載の少なくとも１つのガス／ガス混合器（１６）を排ガス管（３０）に備える内燃機関用の排ガス装置。
【請求項１４】
前記少なくとも１つのガス／ガス混合器（１６）は、前記混合器ボディ（３２）のボディ長手方向軸線（Ｌ）が排ガス主流動方向（Ｈ）に対して略直交するように方向付けられて配置されており、前記混合器ボディ（３２）のリーディングエッジ（４４）は、前記排ガス主流動方向（Ｈ）に関して実質的に上流に向かって方向付けられており、前記混合器ボディ（３２）のトレーリングエッジ（４６）は、前記排ガス主流動方向（Ｈ）に関して実質的に下流に向かって方向付けられていることを特徴とする、請求項１３記載の排ガス装置。
【請求項１５】
前記少なくとも１つのガス／ガス混合器（１６）の下流に少なくとも１つのパティキュレートフィルタ（２４，２６）が設けられていることを特徴とする、請求項１３または１４記載の排ガス装置。
【請求項１６】
前記少なくとも１つのガス／ガス混合器（１６）の下流に複数のパティキュレートフィルタ（２４，２６）が設けられており、前記少なくとも１つのガス／ガス混合器（１６）を含む前記排ガス管（３０）の下流に管分岐（１８）が設けられており、前記管分岐（１８）から各パティキュレートフィルタに分岐管（２０，２２）が連通していることを特徴とする、請求項１５記載の排ガス装置。
【請求項１７】
前記混合器ボディ（３２）の前記長手方向中央平面（Ｅ）は、前記長手方向中央平面（Ｅ）の両側に前記管分岐（１８）がそれぞれ少なくとも１つの分岐管（２０，２２）を有するように、ポジショニングされていることを特徴とする、請求項１０、１１または１２を引用する請求項１６記載の排ガス装置。
【請求項１８】
前記少なくとも１つのガス／ガス混合器（１６）の上流に触媒装置（１４）、好ましくは三元触媒が配置されていることを特徴とする、請求項１３から１７までのいずれか１項記載の排ガス装置。
【請求項１９】
前記排ガス（Ａ）内に導入すべき前記ガス（Ｇ）は、空気であることを特徴とする、請求項１３から１８までのいずれか１項記載の排ガス装置。
【発明の詳細な説明】
【技術分野】
【０００１】
本発明は、ガスを内燃機関の排ガス流内に導入し得るガス／ガス混合器に関する。
【０００２】
自動車内で使用される内燃機関の有害物質排出を低減すべく、排ガス装置内にパティキュレートフィルタを設けることが公知である。この種のパティキュレートフィルタが次第に目詰まりするのを防止すべく、パティキュレートフィルタ内に蓄積した粒子状物質は、清浄化プロセスにおいて高い温度で燃焼除去される。
【０００３】
本発明の課題は、導入すべきガスと、排ガス装置内を案内される排ガス流との効率的かつ一様な混合を保証する、ガス、特に空気を内燃機関の排ガス流内に導入するガス／ガス混合器を提供することである。
【０００４】
本発明により上記課題は、ガス、特に空気を内燃機関の排ガス流内に導入するガス／ガス混合器であって、ボディ長手方向軸線方向で長く延びる混合器ボディを備え、混合器ボディ内にガス導入容積が形成されており、混合器ボディの、ガス導入容積の周囲を画定する壁内に複数のガス通過開口が設けられているガス／ガス混合器により解決される。本発明により混合器ボディは、ボディ長手方向軸線に対して横方向に扁平化された横断面プロファイルを有して形成されている。
【０００５】
混合器ボディを、扁平化された、つまり流線形の横断面プロファイルを有して構成したことで、一方では、排ガス流内を延在する混合器ボディによって引き起こされる排ガスの流動抵抗が比較的小さいことが達成される。他方では、混合器ボディの周囲を排ガスが流動することは、ガス通過開口から排ガス流に向かって流出するガス、つまり例えば空気が、混合器ボディの周囲を流動する排ガスに伴われ、排ガスと一様に混ざり合うことを保証する。
【０００６】
流線形を提供し、かつ混合器ボディにより引き起こされる流動抵抗を低減すべく、横断面プロファイルの最大の幅の領域を表すプロファイル横方向軸線が、混合器ボディのリーディングエッジと混合器ボディのトレーリングエッジとの間の横断面プロファイルの長さを表すプロファイル長手方向軸線方向で、プロファイル長手方向軸線の長さ中間点に対して混合器ボディのリーディングエッジに向かってずらされていることを提案する。これにより混合器ボディは、横断面で見て大凡滴形を呈している。
【０００７】
その際、プロファイル横方向軸線とプロファイル長手方向軸線の長さ中間点との間の間隔の、プロファイル長手方向軸線の長さに対する比は、０．０２から０．０５の範囲にあってもよい。
【０００８】
流動抵抗はできる限り小さいながらも、混合器ボディの内部には、排ガス内に導入すべきガスを供給するに十分な容積を提供することができるように、混合器ボディのリーディングエッジと混合器ボディのトレーリングエッジとの間の横断面プロファイルの長さに対する、横断面プロファイルの最大の幅の比が、０．２から０．４の範囲にあることを提案する。
【０００９】
排ガス流内へのガスの効率的な導入のために、ガス通過開口の、実質的にボディ長手方向軸線方向で延在する複数の列が設けられていてもよい。
【００１０】
ガス／ガス混合器の特に有利な、混合器ボディの横断面幾何学形状によらない本発明の態様も具現する構成において、混合器ボディの壁には、混合器ボディのリーディングエッジと、混合器ボディの横断面プロファイルの最大の幅の領域との間の領域に、実質的にガス通過開口が設けられていないことを提案する。こうして、混合器ボディに向かって流動する排ガスが、上流に向かって方向付けられたガス通過開口を通って混合器ボディの内部のガス導入容積に流入してしまうことは、防止され得る。同時に、流動方向で見てさらに後方に位置する混合器ボディの領域内に配置されるガス通過開口の領域には、混合器ボディの外面に沿って流動する排ガスにより負圧が形成され、負圧は、混合器ボディを通して導かれるガスを吸引し、ひいてはガスの導入を助ける。
【００１１】
好ましくは、ガス導入容積は、ボディ長手方向軸線方向で端壁により閉鎖されており、その結果、ガスは、規定通り混合器ボディの壁の領域でのみ流出し得る。このために特に、端壁には、ガス通過開口が設けられていないようにしてもよい。
【００１２】
特にガス／ガス混合器に単一のパティキュレートフィルタが続いている排ガス装置の場合、排ガス内に導入されるガスのできる限り一様な分布のために、混合器ボディは、リーディングエッジからトレーリングエッジにかけて延在する長手方向中央平面に関して略対称に形成されているようにしてもよい。
【００１３】
この種のガス／ガス混合器の下流に、並列に供給が行われる複数のパティキュレートフィルタが設けられている場合には、パティキュレートフィルタに対して排ガスを規定通り非一様に当てるべく、混合器ボディが、リーディングエッジからトレーリングエッジにかけて延在する長手方向中央平面に関して非対称に形成されていると、有利な場合がある。
【００１４】
このことは、例えば、長手方向中央平面に関して混合器ボディの壁の第１の側面に設けられたガス通過開口の数が、長手方向中央平面に関して混合器ボディの壁の第２の側面に設けられたガス通過開口の数とは異なることにより達成されてもよい。代替的または付加的に、長手方向中央平面に関して混合器ボディの壁の第１の側面における混合器ボディの壁のプロファイル線が、長手方向中央平面に関して混合器ボディの壁の第２の側面における混合器ボディの壁のプロファイル線とは異なっているようにしてもよい。これにより混合器ボディは、翼あるいは羽根に近似した横断面プロファイルを有して形成されていることができる。
【００１５】
さらに本発明は、本発明に係る構造を有する少なくとも１つのガス／ガス混合器を排ガス管に備える内燃機関用の排ガス装置に関する。
【００１６】
排ガス流内を延在する混合器ボディにより引き起こされる流動抵抗をできる限り小さくすべく、少なくとも１つのガス／ガス混合器が、混合器ボディのボディ長手方向軸線が排ガス主流動方向に対して略直交するように方向付けられて配置されており、混合器ボディのリーディングエッジが、排ガス主流動方向に関して実質的に上流に向かって方向付けられており、混合器ボディのトレーリングエッジが、排ガス主流動方向に関して実質的に下流に向かって方向付けられていることを提案する。
【００１７】
少なくとも１つのガス／ガス混合器の下流に少なくとも１つのパティキュレートフィルタが設けられていてもよい。
【００１８】
排ガス装置の代替的な一構成では、少なくとも１つのガス／ガス混合器の下流に複数のパティキュレートフィルタが設けられていてもよく、少なくとも１つのガス／ガス混合器を含む排ガス管の下流に管分岐が設けられていてもよい。この種の構成では、管分岐から各パティキュレートフィルタに分岐管が連通していてもよい。
【００１９】
特にパティキュレートフィルタが複数設けられている場合、非対称の作動形式、つまりこれらのパティキュレートフィルタに対して排ガス、あるいは排ガス内に導入されるガスが非対称に当てられることが望ましい場合、混合器ボディの長手方向中央平面は、長手方向中央平面の両側に管分岐がそれぞれ少なくとも１つの分岐管を有するように、ポジショニングされていてもよい。
【００２０】
さらに、排ガス排出を低減すべく、少なくとも１つのガス／ガス混合器の上流に触媒装置、好ましくは三元触媒が配置されていてもよい。
【００２１】
単数あるいは複数のパティキュレートフィルタにおける粒子状物質の燃焼除去を補助すべく、排ガス流内に導入すべきガスは、空気であることを提案する。
【００２２】
本発明について、以下に添付の図面を参照しながら詳しく説明する。
【図面の簡単な説明】
【００２３】
【図１】触媒装置に後置される２つのパティキュレートフィルタと、パティキュレートフィルタに関して上流に配置されるガス／ガス混合器とを備える排ガス装置の原理図である。
【図２】単一のパティキュレートフィルタを備える排ガス装置の、図１に対応する図である。
【図３】排ガス管内に配置されたガス／ガス混合器を示す図である。
【図４】排ガス管内に設けられたガス／ガス混合器の別の図である。
【図５】排ガス管内を延在するガス／ガス混合器の側面図である。
【図６】図５に示した視線方向ＶＩで、図５に示したガス／ガス混合器を見た図である。
【図７】図５に示した視線方向ＶＩＩでガス／ガス混合器を見た、図６に対応する図である。
【図８】図５に示した視線方向ＶＩＩＩでガス／ガス混合器を見た図である。
【図９】ガス／ガス混合器の代替的な構成態様の、図８に対応する原理図である。
【００２４】
図１には、自動車内の内燃機関の排ガス装置を、全体として符号１０を付して示してある。排ガス装置１０の上流の領域１２には、触媒装置１４、例えば三元触媒が配置されている。触媒装置１４の下流には、追って詳しく説明するガス／ガス混合器１６が配置されており、ガス／ガス混合器１６を介して、排ガス装置１０内を流動する排ガスに、ガス、例えば空気を混合させることができる。流動方向でガス／ガス混合器に続いて、排ガス装置１０は、管分岐１８を有している。管分岐１８からは、２つの分岐管２０，２２がそれぞれのパティキュレートフィルタ２４，２６に連通しており、パティキュレートフィルタ２４，２６には、こうして排ガスが送給される。パティキュレートフィルタ２４，２６を貫流した排ガスは、その後、排ガス装置１０の下流の領域２８において、例えば消音器または別の排ガス処理ユニットを貫流した後、周囲へ放出され得る。
【００２５】
排ガス装置１０の代替的な一構成は、図２に示してある。本構成態様では、ガス／ガス混合器１６に続いて、単一のパティキュレートフィルタ２４しか設けられていない。
【００２６】
図３および４は、排ガス装置１０の排ガス管３０内へのガス／ガス混合器１６の組み込みを示している。ガス／ガス混合器１６は、混合器ボディ３２を備え、混合器ボディ３２は、混合器ボディ３２の長手方向軸線Ｌが、排ガス管３０内のガス／ガス混合器の領域における排ガス主流動方向Ｈに対して略直交して延在するように、排ガス管３０内にポジショニングされている。ガス／ガス混合器の供給管体３４を介してガスＧ、例えば空気が、混合器ボディ３２内に導入され、混合器ボディの壁３６内に形成された複数のガス通過開口３８を介してガス流内に導入され、ガス流とともにさらに、下流にあるパティキュレートフィルタ２４あるいは２６に向かって案内される。供給管体３４は、導入すべきガスＧのための源に、あるいはこのガスを導く管路等に接続されていることができる。
【００２７】
ガス／ガス混合器１６の構成について、以下に図５から８を参照しながらより詳しく説明する。
【００２８】
ガス／ガス混合器１６の混合器ボディ３２は、略柱状の構造を有して形成された壁３６を有し、壁３６は、これにより混合器ボディ３２のボディ長手方向軸線Ｌ方向で略一定の横断面プロファイルを有して形成されている。ボディ長手方向軸線Ｌ方向で一方の端部領域において、混合器ボディ３２は、例えば支持プレート４０に支持されており、支持プレート４０には、供給管体３４も接続されている。排ガス管３０に設けられた対応する開口を介して、ガス／ガス混合器１６は、混合器ボディ３２が排ガス管３０の内部を延在し、そこで排ガスＡが混合器ボディ３２の周囲を流動可能であるように、排ガス管３０にポジショニングされ得る。支持プレート４０は、排ガス管３０の外面に当接し、排ガス管３０に例えば溶接により堅固にかつガス密に結合され得る。混合器ボディ３２の寸法は、混合器ボディ３２が実質的に排ガス管３０の内寸全体にわたって延在しているように、排ガス管３０に合わせて調整されていてもよい。混合器ボディ３２の、支持プレート４０とは反対側の端部領域において、混合器ボディ３２、あるいは混合器ボディ３２内に形成されるガス導入容積４２は、ボディ長手方向軸線Ｌ方向で端壁３９により略ガス密に閉鎖されている。供給管体３４を介して供給されるガスは、混合器ボディ３２のガス導入容積４２に流入し、混合器ボディ３２の壁３６内に形成されたガス通過開口３８を介してガス導入容積４２を後にする。
【００２９】
混合器ボディ３２は、流線形の横断面プロファイル（混合器ボディのボディ長手方向軸線Ｌに関する横断面）を提供するように、扁平化されて形成されている。その際、プロファイル長手方向軸線ＰＬは、混合器ボディ３２のリーディングエッジ４４とトレーリングエッジ４６との間を延在している。ガス／ガス混合器１６を排ガス管３０内に組み込む際、混合器ボディ３２は、好ましくは、プロファイル長手方向軸線ＰＬが実質的に排ガス主流動方向Ｈに方向付けられているように、方向付けられている。これにより混合器ボディ３２の長手方向中央平面Ｅも、実質的に排ガス主流動方向Ｈに方向付けられて位置している。
【００３０】
混合器ボディ３２の最大の幅の領域を規定しているプロファイル横方向軸線ＰＱは、実質的に排ガス主流動方向Ｈあるいは長手方向中央平面Ｅに対して横方向に方向付けられている。図８には、滴形に近似した横断面プロファイルを提供すべく、プロファイル横方向軸線ＰＱがプロファイル長手方向軸線ＰＬ方向でリーディングエッジ４４寄りにずらされていることが看取可能である。プロファイル長手方向軸線ＰＬの、ボディ長手方向軸線Ｌも含むあるいはボディ長手方向軸線Ｌが交わる中間線Ｍと、プロファイル横方向軸線ＰＱとの間の間隔は、例えばリーディングエッジ４４とトレーリングエッジ４６との間のプロファイル長手方向軸線ＰＬの長さが約３０ｍｍの範囲にあるとき、約１ｍｍの範囲にあることができる。中間線Ｍとプロファイル横方向軸線ＰＱとの間の間隔の比が約０．０２から０．０５であると、概して有利であることがわかっている。プロファイル横方向軸線ＰＱ方向での混合器ボディ３２の寸法、つまりプロファイルボディ３２の幅は、長さが約３０ｍｍであるとき、約９ｍｍの範囲にあることができる。ここでは、横断面で見て混合器ボディ３２の長さに対する幅の比について０．２から０．４の範囲が、できる限り少ない流動抵抗でのガスＧの効率的な導入にとって特に有利であることがわかっている。付言すると、前述の寸法表示あるいは比は、それぞれ、混合器ボディ３２の外寸に関するものであってもよい。
【００３１】
ガス通過開口３８は、混合器ボディ３２の壁３６内に、実質的にボディ長手方向軸線Ｌ方向で延在する複数の列４８上に配置されている。その際、図５は、リーディングエッジ４４と、混合器ボディ３２の最大の幅の領域との間の領域には、実質的にガス通過開口が配置されていないことを明示している。例えば図５で見て最も左側、つまり最も上流にポジショニングされている列４８のガス通過開口３８は、この列４８のガス通過開口３８のそれぞれの開口中心が大凡プロファイル横方向軸線ＰＱの領域、つまり混合器ボディ３２の最大の幅の領域に位置するように、ポジショニングされていることができる。以後の列４８あるいは以後のガス通過開口３８は、壁３６の、トレーリングエッジ４６に向かって延在する周領域で後続している。この配置により、上流から混合器ボディ３２に向かって流動する排ガスＡが、リーディングエッジ４４の領域で偏向され、壁３６によりまず側方に逸らされ、その後、最大の幅の領域で開始する、周壁３６の、ガス通過開口３８が設けられた領域の周囲も流動することが達成される。これにより、排ガスが、混合器ボディ３２の内部のガス導入容積４２に直接流入してしまうことは、防止されている。混合器ボディ３２あるいはその壁３６の周囲をトレーリングエッジ４６に向かってその後さらに流動する排ガスＡにより、発生する負圧または／および排ガスＡ内に導入すべきガスＧの、ガス導入容積４２内に基本的に存在している正圧に基づいて、このガスＧは、ガス通過開口３８を通してこれにより排ガス流内に導入され、排ガス流によりさらに下流へと運ばれる。混合器ボディ３２が排ガス主流動方向で比較的長く延在していることからも、比較的多数のガス通過開口３８を壁３６内に極めて一様に分配して設けることが可能であるという事情に基づいて、排ガスＡと、排ガスＡ内に導入すべきガスとの一様な混合が保証される。このことは、下流に続く単数または複数のパティキュレートフィルタにも一様にガス、例えば空気が供給されることを保証する。加えて、図３から８の構成形態に示したように、混合器ボディ３２が長手方向中央平面Ｅに関して略対称に構成されていると、さらに有利である。このことは、壁３６がこの長手方向中央平面Ｅに関して対称、特に鏡面対称に構成されているとともに、ガス通過開口３８が長手方向中央平面Ｅに関して壁３６の両側面に対称に配置されていることを意味している。図１に示したように、例えば並列に供給が行われる２つのパティキュレートフィルタ２４，２６を有する排ガス装置の場合、ガス／ガス混合器１６を介して導入されるガスＧの、両パティキュレートフィルタ２４，２６への一様な供給は、図１に示したように、混合器ボディ３２のボディ長手方向軸線Ｌが管分岐１８の中央平面あるいは対称平面Ｓに対して略直交するように、混合器ボディ３２を排ガス管３０内にポジショニングすることにより促進され得る。
【００３２】
排ガスＡが、あるいは排ガス流内で運ばれるガスＧが、両パティキュレートフィルタ２４，２６に非一様に規定されて送給されることが望まれるのであれば、混合器ボディ３２の長手方向中央平面Ｅが管分岐１８の対称平面Ｓに相当するように、混合器ボディ３２を排ガス管３０に取着することが有利である。つまり、ガス／ガス混合器１６は、図１に示したポジショニングに対して約９０°回転されてポジショニングされている。その際、図９に原理的に示すように、さらに、リーディングエッジ４４とトレーリングエッジ４６との間を延在する長手方向中央平面Ｅに関して、プロファイルボディ３２あるいはその壁３６の両側面５０，５２が、それぞれ異なるプロファイル線を有して形成されているように、混合器ボディ３２は形成されていてもよい。例えば図９において、壁３６は、側面５０において、側面５２におけるより明らかに強い曲率を有して形成されている。こうして混合器ボディ３２の周囲の非対称の流動が実現され、これに応じて混合器ボディ３２の下流の領域におけるガスＧの非一様な導入あるいは分布も実現される。代替的には、またはこれを補助するように、混合器ボディ３２の両側面５０，５２において、そこに設けられたガス通過開口３８が、それぞれ異なる数または／およびそれぞれ異なる大きさまたは／およびそれぞれ異なるポジショニングで設けられるようにしてもよい。こうして混合器ボディ３２の両側面５０，５２に、それぞれ異なる量のガスＧが排ガス流内に導入されることが、保証され得る。その後、下流に続く管分岐１８の領域で排ガス流を分割したとき、而して、それぞれ異なる加減でガスＧが混ぜられた排ガスＡの複数の部分流が発生され、これに応じて排ガスＡ中におけるガス濃度もそれぞれ異なる部分流が、パティキュレートフィルタ２４，２６へと導かれる。
【００３３】
最後に付言すると、本発明の原理を逸脱することなく、図面に示し、図面を参照しながら説明したガス／ガス混合器、あるいはガス／ガス混合器を有する排ガス装置において、様々な変更を行うことができる。したがって、例えば混合器ボディ３２の壁３６内に設けられたガス通過開口３８が、それぞれ異なる大きさを有していてもよいし、または／かつ壁３６内にそれぞれ異なる面密度、つまりそれぞれ異なる分布で設けられていてもよい。混合器ボディ３２自体は、別の横断面プロファイルを有して形成されていてもよい。例えば流線形は、プロファイル横方向軸線ＰＱがプロファイル長手方向軸線ＰＬの長さ中間点の領域、つまり図８に示した中間線Ｍの領域にポジショニングされても達成され得る。耐排ガス性に構成すべく、ガス／ガス混合器は、好ましくは金属材料、例えば金属薄板材料により構成されている。
【００３４】
さらに基本的に混合器ボディ３２は、円形の横断面プロファイルを有して形成されていてもよい。この場合であっても、特に排ガス流内へのガスの導入に関する前述の利点を達成すべく、この場合も、リーディングエッジ、つまり円形の横断面を有して形成されるこの種の壁３６の、最も上流にポジショニングされる周領域と、最大の幅の領域との間の領域に、実質的にガス通過開口が設けられていない一方、最大の幅の領域に続いて、または最大の幅の領域から出発して、トレーリングエッジ、つまり壁３６の、最も下流にポジショニングされている周領域に向かって、そのとき壁３６内にガス通過開口３８が、例えば列状の配置で設けられているようにしてもよい。
【図１】
2019183845.tif 000003
【図２】
2019183845.tif 000004
【図３】
2019183845.tif 000005
【図４】
2019183845.tif 000006
【図５】
2019183845.tif 000007
【図６】
2019183845.tif 000008
【図７】
2019183845.tif 000009
【図８】
2019183845.tif 000010
【図９】
2019183845.tif 000011
【外国語明細書】
2019183845.tif 000012
2019183845.tif 000013
2019183845.tif 000014
2019183845.tif 000015
2019183845.tif 000016
2019183845.tif 000017
2019183845.tif 000018
2019183845.tif 000019
2019183845.tif 000020
2019183845.tif 000021
2019183845.tif 000022
2019183845.tif 000023
2019183845.tif 000024
2019183845.tif 000025
2019183845.tif 000026
2019183845.tif 000027
2019183845.tif 000028
2019183845.tif 000029
2019183845.tif 000030
2019183845.tif 000031